(57)【要約】【課題】分離膜の汚染リスクを事前に予測し、その後の膜プロセスを安定運転するために、常に高精度のＳＤＩ値を算出することのできるＳＤＩ測定方法を提供することにある。また、該方法によりＳＤＩ値を測定する工程を含む逆浸透膜を用いた造水方法を提供することにある。【解決手段】測定用の分離膜供給液に予め３ＭＰａ以上の圧力を掛け、その後ＡＳＴＭに規定の圧力下で測定を行うことを特徴とするＳＤＩ測定方法。【選択図】　なし【特許請求の範囲】
【請求項１】
測定用の分離膜供給液に予め３ＭＰａ以上の圧力を掛け、その後ＡＳＴＭに規定の圧力下で測定を行うことを特徴とするＳＤＩ測定方法。
【請求項２】
測定用の分離膜供給液に３ＭＰａ以上の圧力を掛けた後、圧力調節弁を用いてＡＳＴＭに規定の圧力に下げてから測定を行う請求項１記載のＳＤＩ測定方法。
【請求項３】
測定用の分離膜供給液に３ＭＰａ以上の圧力を掛け、その後圧力を常圧に戻し、ＳＤＩ測定に際してＡＳＴＭに規定の圧力を再び掛けてから測定を行う請求項１記載のＳＤＩ測定方法。
【請求項４】
請求項１〜３のいずれかに記載のＳＤＩ測定方法に用いられ、３ＭＰａ以上の圧力を掛ける加圧手段と、ＡＳＴＭに規定の圧力にする圧力調節手段と、分離膜供給液に含まれる物質をろ過する膜分離手段とを少なくとも備えるＳＤＩ測定装置。
【請求項５】
高圧ポンプで加圧された分離膜供給液の一部に対して、請求項１〜３のいずれかに記載の方法によりＳＤＩ値を測定する工程を含む逆浸透膜を用いた造水方法。
【発明の詳細な説明】
【０００１】
【発明の属する技術分野】
本発明は、膜プロセスにおける分離膜供給水の水質汚染指標に使用されるＳＤＩ測定方法に関し、詳しくは、常に高精度のＳＤＩ値を算出することのできるＳＤＩ測定方法に関する。また、前記方法に用いられるＳＤＩ測定装置、及び前記方法によりＳＤＩ値を測定する工程を含む逆浸透膜を用いた造水方法に関する。
【０００２】
【従来の技術】
海水や下水などの原水中には、種々の懸濁物質、コロイド性の有機物と無機物、ウイルス、及び細菌などの汚染物質を含んでいる。このような汚染物質は分離膜を汚染し、性能の低下を引き起こす原因となる。
【０００３】
従来、逆浸透膜などの分離膜を用いる海水淡水化処理や下水再生処理においては、分離膜の汚染を防止するために、予め凝集沈殿処理、加圧浮上処理、及び砂ろ過処理などのプロセスを組み合わせて原水中の微生物、コロイド、及びシルトなどの微粒子成分を除去する前処理工程が行われてきた。近年、精密ろ過膜（ＭＦ）や限外ろ過膜（ＵＦ）などの膜分離によって原水を前処理する技術が開発された。そして、微粒子成分を除去した後の水中の微量懸濁物質等による汚染の程度を測定する方法として、均一微細な孔径を持つメンブレンフィルターを用いて、その目詰まり率をもって汚染指数とする方法が採用されている。特に、逆浸透膜法海水淡水化装置への供給水の監視指標として膜汚染防止に非常に有効であることが確認され、現在、膜プロセスにおける分離膜供給水の水質汚染指標としてＡＳＴＭ（Ｓｔａｎｄａｒｄ　Ｔｅｓｔ　Ｍｅｔｈｏｄ　ｆｏｒ　Ｓｉｌｔ　Ｄｅｎｓｉｔｙ　Ｉｎｄｅｘ　ｏｆ　Ｗａｔｅｒ　Ｄ４１８９−９５）によって規定されているＳＤＩ（Ｓｉｌｔ　Ｄｅｎｓｉｔｙ　Ｉｎｄｅｘ）測定方法が一般に使用されている。
【０００４】
前記ＳＤＩ測定方法により算出されるＳＤＩ値（汚染指数）は、以下の計算式により算出される。
【０００５】
ＳＤＩ１５＝（１−Ｔ０　／Ｔ１５）×１００／１５
Ｔ０　：孔径０．４５μｍ、直径４７ｍｍのメンブレンフィルターに圧力２０６ｋＰａで試料をろ過し、初期の試料５００ｍｌをろ過するのに要する時間（秒）
Ｔ１５：更にろ過を１５分継続し、その後試料５００ｍｌをろ過するのに要する時間（秒）
前記ＳＤＩ１５の値は、０〜６．６６の値を示し、数値が大きいほど汚染度は大きくなる。一般に海水や下水などの原水を前処理した後の逆浸透膜への供給水のＳＤＩ値は４以下とされている。
【０００６】
【発明が解決しようとする課題】
しかし、近年上記ＳＤＩ測定方法を用いて前処理後の膜ろ過水のＳＤＩ値を測定した場合に、必ずしもＳＤＩ値が正確な値を示すわけではなく、汚染指数の精度に問題があることが明らかになった。特にフミン質などの溶存有機物が存在する場合には、通常のＳＤＩ値と著しく異なる数値を示すことが明らかになった。例えば、ＳＤＩ測定に用いられる孔径０．４５μｍのメンブレンフィルターよりも小さな孔径の限外ろ過膜（分画分子量：２００００Ｄａｌｔｏｎｓ、名目孔径：０．００７μｍのもの、又は分画分子量：５０００００Ｄａｌｔｏｎｓ、名目孔径：０．０２９μｍのもの等）、又は孔径０．１μｍ程度の精密ろ過膜を用いて海水などを前処理した後の膜ろ過水のＳＤＩ値が３を超す異常に大きな値を示すことがしばしば認められた。そのため、分離膜の汚染リスクを事前に予測し、膜プロセスを安定運転するために、常に高精度のＳＤＩ値を算出することのできるＳＤＩ測定方法の開発が望まれていた。
【０００７】
本発明は、上記課題を解決するものであって、常に高精度のＳＤＩ値を算出することができるＳＤＩ測定方法を提供することにある。また、前記方法に用いられるＳＤＩ測定装置、及び前記方法によりＳＤＩ値を測定する工程を含む逆浸透膜を用いた造水方法を提供することにある。
【０００８】
【課題を解決するための手段】
本発明者等は、上述のような現状に鑑み、鋭意研究を重ねた結果、下記方法により上記課題を解決できることを見出した。
【０００９】
即ち、本発明は、測定用の分離膜供給液に予め３ＭＰａ以上の圧力を掛け、その後ＡＳＴＭに規定の圧力下で測定を行うことを特徴とするＳＤＩ測定方法、に関する。
【００１０】
本発明者等は、前記のようにＳＤＩ値が異常値を示す理由として、ＭＦやＵＦによって前処理した膜ろ過水を用いてＳＤＩ測定した場合に、膜ろ過水を１５分間通水する過程において、膜ろ過水中に存在し、孔径０．４５μｍのメンブレンフィルターよりもはるかに小さい有機及び無機微粒子とミクロ気泡とが、フィルターを構成する硝酸セルロースエステル系高分子の微細流路構造部分の壁面に吸着して細孔の流路面積を狭めるか、又は細孔の流路を部分的に閉塞させることが原因であると推察した。特にミクロ気泡が大きく影響していることが推察され、通常このような溶存しているミクロ気泡を取り除くためには、真空脱気処理などなどの手段がとられるが、現行のＳＤＩ測定に真空脱気装置の様な設備を付加すると装置が大きくなるため好ましくなく、簡便で、現行のＳＤＩ測定方法をできるだけ変更しない方法が求められる。
【００１１】
本発明者等は、ＳＤＩ測定を行う前に、前処理後の砂ろ過又は膜ろ過水を圧力３ＭＰａ以上で加圧処理することによりミクロ気泡を砂ろ過又は膜ろ過水中に溶解・消失させることができ、該工程を予め行うことにより空気成分を溶液中に準安定の過飽和状態として溶解できるので、常にＳＤＩ値を正確に測定できることを見出したものである。
【００１２】
前記ＳＤＩ測定方法においては、測定試験用の分離膜供給液に３ＭＰａ以上の圧力を掛けた後、圧力調節弁を用いてＡＳＴＭに規定の圧力に下げて測定を行うことが好ましい。このような方法を採用することにより、測定のための加圧を別途行う必要がなく、ＳＤＩ測定装置を簡易にでき、また効率よく測定することができる。
【００１３】
また、前記ＳＤＩ測定方法においては、測定試験用の分離膜供給液に３ＭＰａ以上の圧力を掛け、その後圧力を常圧に戻し、ＳＤＩ測定に際してＡＳＴＭに規定の圧力を再び掛けてから測定を行うこともできる。このような方法を採用することにより、ＡＳＴＭに規定された条件で正確なＳＤＩ値を得ることができる。
【００１４】
また本発明は、前記ＳＤＩ測定方法に用いられ、３ＭＰａ以上の圧力を掛ける加圧手段と、ＡＳＴＭに規定の圧力にする圧力調節手段と、分離膜供給液に含まれる物質をろ過する膜分離手段とを少なくとも備えるＳＤＩ測定装置、に関する。
【００１５】
さらに本発明は、高圧ポンプで加圧された分離膜供給液の一部に対して、前記記載の方法によりＳＤＩ値を測定する工程を含む逆浸透膜を用いた造水方法、に関する。逆浸透膜プロセスにおける操作圧力を用いることにより、ＳＤＩ測定装置に３ＭＰａ以上の圧力を掛ける加圧手段を別途設ける必要がなく、ＳＤＩ測定装置を簡易にでき、また効率よく測定することができる。
【００１６】
【発明の実施の形態】
本発明のＳＤＩ測定方法は、測定試験用の分離膜供給液に予め３ＭＰａ以上の圧力を掛け、その後ＡＳＴＭに規定の方法で測定できれば、その測定装置、圧力の制御方法、分離膜供給水の種類、温度、及びｐＨなどは特に制限されない。
【００１７】
以下、本発明のＳＤＩ測定方法の具体例を図１、２に基づいて説明する。図１は、本発明のＳＤＩ測定方法に用いられるＳＤＩ測定装置１の構成例を示したものである。図１において、ＳＤＩ測定装置１は、膜分離手段であるフィルターホルダー２、ホルダー元弁３、圧力調節手段である圧力調節弁４、試料タンク５、タンク元弁６、減圧弁７、加圧手段であるガスボンベ８、及びろ液量を計測するメスシリンダー９などを備えている。フィルターホルダー２には、ＡＳＴＭに規定されている孔径０．４５μｍ、直径４７ｍｍのメンブレンフィルターが装着されている。試料タンク５には、ＭＦ、ＵＦ、又はＤＭＦ（砂−アンスラサイトからなる２層ろ過器）などにより前処理された海水や下水などの砂ろ過又は膜ろ過水が貯留されている。ＭＦ、ＵＦなどによる前処理の方法は特に制限されず、通常用いられる方法により行うことができる。
【００１８】
本発明のＳＤＩ測定方法は、まずガスボンベ８に設けられた減圧弁７を調節して試料タンク５内を３ＭＰａ以上の圧力になるように昇圧する。好ましくは４ＭＰａ以上であり、さらに好ましくは５ＭＰａ以上である。試料タンク３内が３ＭＰａ未満の圧力の場合には、ミクロ気泡を十分にろ過水中に溶解させることができず、正確なＳＤＩ値を測定することができなくなる。３ＭＰａ以上で加圧保持する時間は特に制限されないが、通常１秒間程度でミクロ気泡を十分にろ過水中に溶解させることができ、長時間加圧する必要はない。特に、２〜５秒間加圧することが好ましい。処理温度は特に制限されるものではないが、ＲＯ膜の上限４０℃までが好ましい。
【００１９】
３ＭＰａ以上で加圧後、砂ろ過又は膜ろ過水を圧力調節弁４に導入し、圧力調節弁４を調節してＡＳＴＭに規定されている圧力（２０６ｋＰａ）まで減圧する。その後、フィルターホルダー２に当該砂ろ過又は膜ろ過水を導入し、ＡＳＴＭに規定されている前記条件下でＳＤＩ測定を行う。ＡＳＴＭには測定温度については規定されていないが、正確なＳＤＩ値を測定するためには、測定中には温度を一定に保つことが好ましい。通常、測定温度は５〜３５℃程度である。測定温度が４０℃以上であるとＲＯ性能に異常をきたす傾向にあるため、前記温度以上の前処理水での本件の適用は行われない。また、ＡＳＴＭには測定に用いる試料のｐＨについても規定されていないが、逆浸透膜処理でのスケール発生防止のため、予めｐＨ６．５〜７程度に調製して行うことが好ましい。
【００２０】
図２は、本発明のＳＤＩ測定方法に用いられるＳＤＩ測定装置１の他の例を示したものである。測定条件は前記と同様である。図２において、ＳＤＩ測定装置１は、前記ガスボンベ８の代わりに高圧ポンプ１０を備えている。該ＳＤＩ測定装置１を用いたＳＤＩ測定方法では、まず高圧ポンプ吸入口から試料タンク中のろ過水を吸入させ、高圧ポンプ内でろ過水に３ＭＰａ以上の圧力かけて高圧ポンプ吐出口から吐出させる。そして、減圧弁７で減圧後、流量調節用に分岐した配管が設けられた圧力調節弁４に導き、圧力調節弁４を調節してＡＳＴＭに規定されている圧力（２０６ｋＰａ）まで減圧する。その後、フィルターホルダー２にろ過水を導入し、ＡＳＴＭに規定されている前記条件下でＳＤＩ測定を行う。なお、分岐した配管はメンブレンフィルターの透過流束の低下に伴う設定圧力の上昇を防ぐために、分岐配管からの放流量を調節するため設けられている。
【００２１】
また、測定試験用の分離膜供給液に３ＭＰａ以上の圧力を掛け、その後圧力を常圧に戻してタンクに貯留した後、ＳＤＩ測定に際してＡＳＴＭに規定の圧力を掛けてから測定を行う構成としてもよい。なお、測定条件は前記と同様である。
【００２２】
前記方法により測定されるＳＤＩ値は、フミン質などの溶存有機物が存在する前処理後の海水や下水などを測定した場合であっても異常値を示すことがなく常に正確な値を算出できる。そのため、逆浸透膜を用いた海水や下水など造水工程に前記方法によるＳＤＩ測定工程を取り入れると、逆浸透膜供給水の監視指標として非常に有効であり、逆浸透膜プロセスを安定運転することが可能となる。
【００２３】
逆浸透膜プロセスは、水分子を選択的に透過させる性質を有する逆浸透膜を用い、該逆浸透膜を隔てて浸透平衡にある溶液と水に対し、溶液の浸透圧より高い圧力を溶液側から加えることにより、溶液中の水分子を水側へ移行させる技術である。つまり、逆浸透膜プロセスは、蒸発法のような相変化を起こすことなく溶液中から水を取り出せることができるので、エネルギ的に有利である上に運転管理が容易である。
【００２４】
そして、この逆浸透膜分離を実用規模で行う場合、以下のような逆浸透分離装置が通常用いられる。まず、逆浸透膜がスパイラル状、管状、平膜の積層体、又は中空糸膜状に加工され、適宜流路材を介装した状態でケースに収容されてエレメントと呼ばれる膜素子構成する。このエレメントは適宜直列に接続され、耐圧容器に収容されてモジュールとなり、さらに、このモジュールが並列に接続されて逆浸透分離モジュールユニットとなる。そして、逆浸透分離モジュールユニット全体に所定の圧力を負荷することにより逆浸透分離が行われる。
【００２５】
以下、逆浸透膜を用いた造水方法の具体例を図３に基づいて説明する。図３において、逆浸透分離装置１２は、逆浸透膜モジュールユニット１６、高圧ポンプ１０等を備えている。そして、原海水１３は除濁装置１４（ＭＦ、ＵＦ、又はＤＭＦなどを備えた装置）で前処理されて逆浸透供給水１５となり、この供給水１５は、高圧ポンプ１０により所定の操作圧力になるまで昇圧されて逆浸透膜モジュールユニット１６に導入され、ここで逆浸透処理されて塩類などが除去された透過水１７ａと、塩類などが濃縮された濃縮水１７ｂとに分離される。なお、この逆浸透分離装置１２の場合、逆浸透分離は単一の操作圧力で１段で行われるが、多段の逆浸透分離を行ってもよい。このようにして得られた透過水１７ａは適宜タンク１８に貯留され、脱塩水として使用に供される。本発明においては、ＳＤＩ測定装置に３ＭＰａ以上の圧力を掛ける加圧手段を省略するため、高圧ポンプ１０による操作圧力が３ＭＰａ以上である場合、高圧ポンプ１０による昇圧を行った後、逆浸透分離モジュールユニット１６に供給水を導入する前のいずれかの箇所で、サンプルとなる供給水を抜き取り、前記記載の方法でＳＤＩ測定を行う。なお、海水淡水化用として一般的に高圧ポンプ１０による操作圧力は３ＭＰａ以上であるが、希釈海水などの用途での操作圧力が３ＭＰａ未満の場合には、更に３ＭＰａ以上に加圧してからＳＤＩ測定を行う。そして、算出されたＳＤＩ値から供給水の汚染度を確認し、それにより操作条件を適宜変更しつつその後の運転を行う。
【００２６】
〔作用効果〕
本発明のＳＤＩ測定方法を用いることにより、常に高精度のＳＤＩ値を算出することができる。これにより逆浸透膜などの分離膜の汚染リスクを事前に、かつ的確に予測することができ、その後の膜プロセスを効率よく安定運転することが可能となる。
【００２７】
【実施例】
以下、本発明の構成と効果を具体的に示す実施例等について説明する。なお、ＳＤＩ１５値は、ＡＳＴＭに規定の条件下で測定し、以下の計算式により算出した。
【００２８】
ＳＤＩ１５＝（１−Ｔ０　／Ｔ１５）×１００／１５
Ｔ０　：孔径０．４５μｍ、直径４７ｍｍのメンブレンフィルターに圧力２０６ｋＰａで試料をろ過し、初期の試料５００ｍｌをろ過するのに要する時間（秒）
Ｔ１５：更にろ過を１５分継続し、その後試料５００ｍｌをろ過するのに要する時間（秒）
【００２９】
実施例１
図２に示す構成のＳＤＩ測定装置を用いてＳＤＩ測定を行った。測定サンプルとしては、日本海近海海水をＤＭＦを用いて前処理をしたろ過水を用いた。前処理したろ過水（ｐＨ：７．０）を試料タンクに貯留し、高圧ポンプ（Ｈｙｄｒａ−ｃｅｌｌ製、Ｆ２０−Ｘ）を用いて、２５℃に調節したろ過水に５．６ＭＰａの予備圧力を掛けて吐出し、そして圧力調節弁を調節して２０６ｋＰａまで減圧して、メンブレンフィルター（ミリポア社製、ＨＡＷＰ０４７００、孔径０．４５μｍ、直径４７ｍｍ）を装着したフィルターホルダーにろ過水を導入し、ＡＳＴＭに規定の条件下でＳＤＩ測定を行った。なお、測定温度は２７℃であった。Ｔ０　、Ｔ１５の測定の結果、及びＳＤＩ１５値を表１に示す。
【００３０】
比較例１
予備加圧を省略した以外は実施例１と同様の方法によりＳＤＩ測定を行った。Ｔ０　、Ｔ１５の測定の結果、及びＳＤＩ１５値を表１に示す。
【００３１】
実施例２
測定サンプルとして、瀬戸内海の海水を用い、ＵＦ（日東電工製、ＲＳ３５−Ｓ８）で前処理を行った。前処理したろ過水のｐＨは８．２であった。
そして、予備加圧を６ＭＰａ、測定温度を１８℃とした以外は実施例１と同様の方法によりＳＤＩ測定を行った。Ｔ０　、Ｔ１５の測定の結果、及びＳＤＩ１５値を表１に示す。
【００３２】
比較例２
予備加圧を省略した以外は実施例２と同様の方法によりＳＤＩ測定を行った。Ｔ０　、Ｔ１５の測定の結果、及びＳＤＩ１５値を表１に示す。
【００３３】
実施例３
測定サンプルとして、アラビア湾バーレン近海の海水を用い、ＵＦ（日東電工製、ＲＳ５０−Ｓ８）で前処理を行った。前処理したろ過水のｐＨは８．０であった。
そして、予備加圧を６ＭＰａとし、測定温度を３１℃とした以外は実施例１と同様の方法によりＳＤＩ測定を行った。Ｔ０　、Ｔ１５の測定の結果、及びＳＤＩ１５値を表１に示す。
【００３４】
比較例３
予備加圧を省略し、ろ過水のｐＨを８．１とした以外は実施例３と同様の方法によりＳＤＩ測定を行った。Ｔ０　、Ｔ１５の測定の結果、及びＳＤＩ１５値を表１に示す。
【００３５】
実施例４
測定サンプルとして、シンガポール近海の海水を用い、前記ＵＦ（ＲＳ３５−Ｓ８）で前処理を行った。前処理したろ過水のｐＨは６．７であった。
そして、予備加圧を３ＭＰａとし、測定温度を２８℃とした以外は実施例１と同様の方法によりＳＤＩ測定を行った。Ｔ０　、Ｔ１５の測定の結果、及びＳＤＩ１５値を表１に示す。
【００３６】
比較例４
予備加圧を省略し、ろ過水のｐＨを６．８とした以外は実施例４と同様の方法によりＳＤＩ測定を行った。Ｔ０　、Ｔ１５の測定の結果、及びＳＤＩ１５値を表１に示す。
【００３７】
実施例５
測定サンプルとして、合成海水（インスタント・オーシャン製、シーライフ、ＴＤＳ：３．３４％、Ｎａ＋　：１１４００ｍｇ／ｌ、Ｋ＋　：４０５ｍｇ／ｌ、Ｃａ２＋：３２３ｍｇ／ｌ、Ｍｇ２＋：９１８ｍｇ／ｌ、Ｃｌ−　：１８４００ｍｇ／ｌ、ＳＯ４　２−：１９３０ｍｇ／ｌ、ＨＣＯ３　−　：７７．８ｍｇ／ｌ）にＮａＯＣｌ（１ｐｐｍ）を添加したものを用い、ＵＦ（日東電工製、ＮＴＵ−３２５０）にて前処理した。前処理したろ過水は、ｐＨ：８．２であった。
そして、予備加圧を５．６ＭＰａとし、測定温度を３０℃とした以外は実施例１と同様の方法によりＳＤＩ測定を行った。Ｔ０　、Ｔ１５の測定の結果、及びＳＤＩ１５値を表１に示す。
【００３８】
比較例５
予備加圧を省略した以外は実施例５と同様の方法によりＳＤＩ測定を行った。Ｔ０　、Ｔ１５の測定の結果、及びＳＤＩ１５値を表１に示す。
【００３９】
比較例６
測定サンプルとして、前記合成海水にフミン酸（１ｐｐｍ）を添加したものを用い、予備加圧を省略した以外は実施例５と同様の方法によりＳＤＩ測定を行った。Ｔ０　、Ｔ１５の測定の結果、及びＳＤＩ１５値を表１に示す。
【００４０】
実施例６
測定サンプルとして、前記合成海水にＮａＯＣｌ（１ｐｐｍ）とフミン酸（１ｐｐｍ）とを添加したものを用い、前記ＵＦで前処理を行った。前処理したろ過水のｐＨは８．０であった。
そして、予備加圧を６．５ＭＰａとし、測定温度を３４℃とした以外は実施例１と同様の方法によりＳＤＩ測定を行った。Ｔ０　、Ｔ１５の測定の結果、及びＳＤＩ１５値を表１に示す。
【００４１】
比較例７
予備加圧を省略した以外は実施例６と同様の方法によりＳＤＩ測定を行った。Ｔ０　、Ｔ１５の測定の結果、及びＳＤＩ１５値を表１に示す。
【００４２】
【表１】
2004108864.tif 000002
以上に示す結果より、前処理後のろ過水に予め３ＭＰａ以上の圧力を掛けずにＳＤＩ測定を行った場合には、ＳＤＩ値が異常値を示す場合（比較例１、３、７）がある。一方、予め３ＭＰａ以上の圧力を掛けて溶存しているミクロ気泡を取り除いた後にＳＤＩ測定を行った場合（実施例１〜６）には、常に正確なＳＤＩ値を示すことがわかる。
【図面の簡単な説明】
【図１】ＳＤＩ測定装置の構成例を示す図である。
【図２】ＳＤＩ測定装置の他の構成例を示す図である。
【図３】逆浸透膜を用いた造水方法のフローを示す図である。
【符号の説明】
１：ＳＤＩ測定装置
２：フィルターホルダー
３：ホルダー元弁
４：圧力調節弁
５：試料タンク
６：タンク元弁
７：減圧弁
８：ガスボンベ
９：メスシリンダー
１０：高圧ポンプ
１１：圧力計
１２：逆浸透分離装置
１３：原海水
１４：除濁装置
１５：逆浸透供給水
１６：逆浸透膜モジュールユニット
１７ａ：透過水
１７ｂ：濃縮水
１８：タンク
【図１】
2004108864.tif 000003
【図２】
2004108864.tif 000004
【図３】
2004108864.tif 000005